(57)【要約】  ＣＰＲ訓練システムは、複数のＣＰＲ訓練人体模型と、少なくとも１つの受信装置とを備え、各人体模型は、少なくとも１つのセンサと、各センサに接続されたマイクロコントローラとを備える。マイクロコントローラは、ＢＬＥ通知パッケージ内のセンサから少なくとも１つの受信装置へデータを送信するのに適合された、Bluetooth（登録商標）送信機に接続されている。ＣＰＲ訓練システムに対して、また、受信装置、ユーザインターフェース、およびプロセッサを備えた多数ＣＰＲ監視装置を備えてもよく、受信装置はＢＬＥ広告パッケージとして送信機からＣＰＲデータを受信するように適合され、プロセッサは受信データを解析し、ユーザインターフェースはグリッド内に解析の結果を示し、各グリッドセルは、それぞれの送信機からのデータを表す。
2020505636.tif 000002
【特許請求の範囲】
【請求項１】
複数のＣＰＲ訓練人体模型と、少なくとも１つの受信装置とを備えた、ＣＰＲ訓練システムであって、各人体模型は、少なくとも１つのセンサと、各センサに接続されたマイクロコントローラとを備え、前記マイクロコントローラは、ＢＬＥ通知（advertising）パッケージ内の前記センサから前記少なくとも１つの受信装置へデータを送信するように適合された、Bluetooth（登録商標）送信機に接続されている、ＣＰＲ訓練システム。
【請求項２】
前記少なくとも１つのセンサは、運動センサ、力センサ、加速度センサ、チルトセンサ、圧縮深さセンサ、圧縮速度センサ、換気量センサ、および／または胸部上昇センサの１つまたはそれ以上である、請求項１に記載のＣＰＲ訓練システム。
【請求項３】
前記マイクロコントローラは、圧縮が開始するときを検出するために前記センサからの情報を使用し、圧縮の開始によって測定データを前記Bluetooth送信機へ転送するように適合されている、請求項１乃至又は２に記載のＣＰＲ訓練システム。
【請求項４】
バッテリのような電源を更に備える、請求項１乃至３のいずれか１つに記載のＣＰＲ訓練システム。
【請求項５】
前記Bluetooth送信機は、圧縮の開始から圧縮系列における最後に登録された圧縮後の３０秒までの時間期間に通知パッケージを送信するように適合されている、請求項１乃至４のいずれか１つに記載のＣＰＲ訓練システム。
【請求項６】
センサを持つ各人体模型、マイクロコントローラ、およびBluetooth送信機は、能動状態と受動状態とを持つ、請求項１乃至５のいずれか１つに記載のＣＰＲ訓練システム。
【請求項７】
各センサは、個別のマイクロコンピュータに接続されている、請求項１乃至６のいずれか１つに記載のＣＰＲ訓練システム。
【請求項８】
１つのマイクロコンピュータは、いくつかのセンサに接続されている、請求項１乃至７のいずれか１つに記載のＣＰＲ訓練システム。
【請求項９】
受信装置、ユーザインターフェース、およびプロセッサを備えた多数ＣＰＲ監視装置であって、
前記受信装置は、複数の送信機からＣＰＲデータを受信するように適合されており、前記データは、ＢＬＥ通知パッケージ内に送信され、
前記プロセッサは、前記受信データを解析するように適合され、
前記ユーザインターフェースは、グリッド内に前記解析結果を示すように適合され、各グリッドセルは、それぞれの送信機からの前記データを表す、
多数ＣＰＲ監視装置。
【請求項１０】
前記プロセッサは、前記ＣＰＲデータの値とそれぞれの基準範囲とを比較するように適合され、もし任意の送信機からの値が前記それぞれの基準範囲から逸脱するなら、当該送信機に対応する前記グリッドセルに前記逸脱のしるしを提供する、請求項９に記載の多数ＣＰＲ監視装置。
【請求項１１】
各グリッドセルは、状態情報を色のついた光として表示する、請求項９又は１０に記載の多数ＣＰＲ監視装置。
【請求項１２】
各グリッドセルは、状態情報を数又はアイコンとして表示する、請求項９乃至１１のいずれか１つに記載の多数ＣＰＲ監視装置。
【請求項１３】
それぞれの基準範囲から逸脱した送信機からの１より多い値がある場合、前記プロセッサは、前記逸脱の一連のしるしを表示するように適合されている、請求項１０乃至１２のいずれか１つに記載の多数ＣＰＲ監視装置。
【請求項１４】
前記一連のしるしは、予め規定された優先順位リストに従って優先順位を付けられた順番に表示される、請求項１３に記載の多数ＣＰＲ監視装置。
【請求項１５】
それぞれの基準範囲から逸脱した送信機からの１より多い値がある場合、前記プロセッサは、それぞれのグリッドセルにおいてどの逸脱を表示するかを選択するように適合されている、請求項１０乃至１２のいずれか１つに記載の多数ＣＰＲ監視装置。
【請求項１６】
複数のＣＰＲ訓練人体模型と少なくとも１つの受信装置との間の通信のための方法であって、各人体模型は、少なくとも１つのセンサと、各センサに接続されたマイクロコントローラとを備え、前記マイクロコントローラは、Bluetooth（登録商標）送信機に接続されており、前記方法は、
前記少なくとも１つのセンサで圧縮データを測定し、
前記マイクロコントローラにおいて前記圧縮データを処理し、
ＢＬＥ通知パッケージ内の前記センサからの前記データを、前記少なくとも１つの受信装置へ送信する、
方法。
【請求項１７】
測定された圧縮データは、運動、力、加速度、チルト、圧縮深さ、圧縮速度および／または換気量および／または換気速度である、請求項１６に記載の方法。
【請求項１８】
圧縮の開始を検出し、圧縮の開始によって測定データを前記Bluetooth送信機へ転送する、請求項１６又は１７に記載のＣＰＲ訓練方法。
【請求項１９】
最初の圧縮の開始から一連の圧縮における最後に登録された圧縮後の３０秒までの時間期間に通知パッケージデータを送信する、請求項１６乃至１８のいずれか１つに記載の方法。
【請求項２０】
各センサ付き人体模型、マイクロコンピュータ、およびBluetooth送信機は、能動状態と受動状態とを持ち、
前記能動状態において、全てのセンサがアクティブとなり、前記マイクロコントローラは全てのセンサに対してデータを処理し、前記処理されたデータは送信され、前記受動状態において、圧縮の存在のみが検出され、処理される、請求項１６乃至１９のいずれか１つに記載の方法。
【請求項２１】
圧縮の検出がある場合に、前記能動状態が起動される、請求項２０に記載の方法。
【請求項２２】
ＢＬＥ通知パッケージは、ａ）圧縮回数、ｂ）深い圧縮回数、ｃ）リーニング（leaning）を持つ圧縮回数、ｄ）圧縮を開始してからの平均圧縮速度、ｅ）圧縮を開始してからの平均圧縮深さ、ｆ）人工呼吸無しの時間期間、ｇ）スコアパラメータの少なくとも１つを特徴づけるデータから成る、請求項１６乃至２１のいずれか１つに記載の方法。
【請求項２３】
少なくとも１つのＣＰＲ評価センサと、各センサに接続されたマイクロコントローラとを備えたＣＰＲ訓練人体模型であって、前記マイクロコントローラは、ＢＬＥ通知パッケージ内の前記センサからのデータを、少なくとも１つの受信装置へ送信するように適合されたBluetooth(登録商標)送信機に接続されている、ＣＰＲ訓練人体模型。
【発明の詳細な説明】
【技術分野】
【０００１】
本発明は、ＣＰＲ訓練システムおよびＣＰＲ訓練間の通信のための方法に関する。
【背景技術】
【０００２】
数百万の人々が、毎年、応急および心臓肺蘇生術（ＣＰＲ）を訓練している。ほとんどの訓練は、指導者で先導され、認識学習と精神運動技能訓練とが混ざっている。精神運動訓練を実施するために、ほとんどクラスは、胸部圧縮と救助呼吸のために設計された訓練人体模型を使用する。ある場合において、それらの人体模型は、どのように胸部圧縮がされたかを測定し、かつどのように救助呼吸が訓練を受ける人によってなされたかを測定するための器具が取り付けられている。
【０００３】
また、器具が取り付けられた人体模型は、遂行ギャップを狭めるために、訓練を受ける人と指導者とに目標情報を与える、フィードバック装置を持っている。それら人体模型は、まったく複雑で、重く、高価であり、それらは、ほとんど、１つのクラスに数人の生徒の間で共有される。１つのクラスにおいて、指導者は、各人を指導し支援するために居るだろう。生徒は１つの人体模型を共有するので、実施時間は、各参加者に対して制限される。
【０００４】
より多くの実施時間を得るために、あるクラスは、訓練を受ける人毎に１つの人体模型を使用する。それら人体模型は、普通は、小さく、軽く、高価ではなく、どのようにして胸部圧縮および／または人工呼吸がなされたかを測定するためのセンサシステムを含んでもよい。その挑戦は、学習のために、それらの人体模型からどのように情報を使用するかである。指導者に対して、歩行して見て回りながら、１クラスが５〜２０人の訓練を受ける人に対して、各生徒に遂行を従わせることは実用的でないだろう。指導者に対して、モニタ上にクラスの遂行の概観を見せることはより効率がよいだろうし、それによって訓練を受ける人の中で誰が個人的な世話を必要とするかを特定する。
【０００５】
今日、複数のセンサからの情報を無線で受信機へ通信するように使用できる技術が存在する。無線通信の一例は、ＷｉＦｉであり、それは、例えば、SkillPadを持つLaerdal ＱＣＰＲ人体模型において使用されている。WiFiルータが使用されると、６つまでの人体模型が同時に接続され得る。それはまた、Resusci Anne Wireless Skillreporterにおいてのように、６つまでの人体模型をＰＣに接続するのを可能とする、Bluetooth（登録商標）を使用することができる。しかしながら、この技術は、少数の人体模型に制限され、人体模型と受信機との間で２方向通信をセットアップする必要がある。それはまた、１より多いフィードバック装置がＣＰＲ遂行を見るのを防いでいる。使用されるとき、たとえＣＰＲが実行されなくとも接続が常にアクティブであり、今度はバッテリからの不必要な電力を消耗させる。
【０００６】
関連技術の他の例は、特許文献１（TWI284466）において見出され、それは、教育用のBluetoothネットワークシステムを記載している。このシステムは、ホスト装置と、少なくとも１つの生徒用授業端末と、Bluetooth送信モジュールとを備えている。このシステムは、ＣＰＲ訓練用ではないが、上述したのと同様の同じ制限がある。
【０００７】
特許文献２（CN20141736977）は、患者に実施される胸部圧縮のための監視システムを記載している。胸部圧縮のためのインピーダンスデータは、監視され、処理され、もし処理されたデータがある基準を満たすなら、移動端末に無線で転送される。
【０００８】
特許文献３（NO20110055）は、患者に実施されるＣＰＲ遂行を監視するための監視システムを記載している。このシステムは、基準装置と受信装置とを持つ。測定信号は、基準装置から、信号が解析される受信機へ、無線で転送される。
【０００９】
特許文献４（WO2012047504）は、多数の訓練マネキン人形を備え、その各々が、少なくとも１つのセンサと、センサに接続されたマイクロコントローラと、例えば、ＷｉＦｉのような無線リンクまたは物理的接続と、を備える、ＣＰＲを訓練するためのシステムを記載している。このシステムは、上述したシステムと同じ不利益を持ち、連続的にアクティブとすることが必要で、可能なユーザの数を制限する。
【先行技術文献】
【特許文献】
【００１０】
【特許文献１】台湾特許第Ｉ２８４４６６号公報
【特許文献２】中国特許出願公開第２０１４１７３６９７７号明細書
【特許文献３】諾威特許出願公開第２０１１００５５号明細書
【特許文献４】国際公開第２０１２／０４７５０４号
【発明の概要】
【発明が解決しようとする課題】
【００１１】
上述したように、LaerdalＷＰＲ訓練システムは、Bluetooth通信を使用してもよい。この為、それは、購入しやすく簡単なＣＰＲセンサを開発し、そのセンサは受信機にＣＰＲ遂行データを通信するためにＢＬＥ（Bluetooth low energy）を使用する。スマートフォンやタブレットのような、受信機に接続されたとき、幾つかの人体模型からのＣＰＲデータは通信され得る。上記システムにおいてのように、各センサは、データを送出するために受信機と対となるか又は接続されなければならず、１つのフィードバック装置のみが使用され得、電力は、接続がアクティブである間、バッテリから消耗する。
【００１２】
従って、複数の人体模型センサから指導者によってアクセス可能な受信機へ無線でＣＰＲ遂行を通信するための、効率がよく、簡単で、購入しやすい方法が必要である。
【００１３】
本発明の目的は、その必要をかなえるシステムおよび方法を提供することにある。
【００１４】
本発明の目的は、特許請求の範囲の特徴によって達成される。
【課題を解決するための手段】
【００１５】
一実施形態において、ＣＰＲ訓練システムは、複数のＣＰＲ訓練人体模型と、少なくとも１つの受信装置とを備える。各人体模型は、少なくとも１つのセンサと、各センサに接続されたマイクロコントローラとを備える。マイクロコントローラは、例えば、Bluetooth Low Energy （ＢＬＥ）送信機のBluetooth送信機に接続され、その送信機は、ＢＬＥ通知（advertising）パッケージ内のセンサから少なくとも１つの受信装置へデータを送信するために適合されている。
【００１６】
ＣＰＲ訓練人体模型は、例えば、Laerdal Medical’s Resusci Anne （登録商標）の任意の適当な人体模型であってよい。センサは、胸部圧縮および／または人工呼吸の特徴を測定するのに適した任意の種類のセンサであってよい。例えば、センサは、運動センサ、圧縮の下向きの力を測定する力センサ、加速度センサ、チルトセンサ、圧縮深さセンサ、圧縮速度センサ、換気量センサ、胸部上昇センサ、などであってよい。
【００１７】
マイクロコント―ラは、センサからデータを受信し、データを処理し、処理したデータを受信機へ送信するためのBluetooth送信機へ転送することができる、制御装置である。センサからのデータは、瞬間または平均圧縮深さ、圧縮速度、圧縮力、人工呼吸速度、換気量、圧縮の不適当な解放、結合したＣＰＲスコアなどのような、ＣＰＲ手続きに関連する関連情報を提供するために処理される。
【００１８】
各センサに対して１つのマイクロコントローラであってよく、換言すれば、各センサは、それに接続された専用の個別のマイクロコントローラを持ってよい。その代わりに、１つのマイクロコントローラは幾つかのセンサに接続されてもよく、例えば、各訓練人体模型は、その訓練人体模型の幾つかのセンサの各々に接続された１つのマイクロコント―ラを備える。
【００１９】
一実施形態において、マイクロコントローラは、圧縮が開始したときを検出するためにセンサからの情報を使用して、圧縮の開始によって測定データをBluetooth送信機へ転送するように適合される。これは、例えば、圧縮の開始を示すセンサからの信号における変化の検出を、センサの１つのみを監視することによってなされてよく、それによって、ＣＰＲ訓練が開始する。センサ信号が、ＣＰＲ訓練が継続していることを示すときのみ、例えば、予め決められた回数の圧縮が実施されているときのみ、又は、最初の圧縮の開始で、マイクロコントローラは、ＢＬＥ通信を起動するように適合され得る。したがって、圧縮が任意の人体模型において実施されないとき、システムはアイドルまたは低電力モードであり、（センサ、マイクロコントローラ、およびBluetooth送信機を持つ）人体模型の各々は、能動状態と受動状態とを持ってよい。能動状態において、全てのセンサがアクティブとなり、マイクロコントローラは全てのセンサに対するデータを処理し、処理されたデータは受信機へ送信されるが、受動状態において、圧縮のたった１つの存在が検出されて処理され、すなわち、受動状態は低電力状態である。一実施形態において、圧縮が検出されたとき、能動状態が開始され、コントローラは、全てのセンサの監視を開始し、ＣＰＲデータを計算し、ＣＰＲデータをBluetooth送信機を介して送信する。
【００２０】
システムは、例えば、バッテリである電源、または幹線電流への接続を備える。上述した低電力／活動停止状態は、バッテリの寿命ができるだけ長くなるのを保証する。
【００２１】
Bluetooth通知は、一般に、放送機能／プロトコルである。クラス２におけるBluetooth通知の平均範囲は、たいていのBluetoothを可能にする移動装置に対して１５メートルから４０メートルである。すべて無線通信であるので、たいていのBluetooth通知への範囲およびアクセス可能性は、送信機電力クラスと、受信装置の独自の運搬（portage）とに依存する。    
【００２２】
ＢＬＥ通知パッケージは、ａ）圧縮回数、ｂ）深い圧縮回数、ｃ）リーニング（leaning）（リーニングは各圧縮間に胸部からの手の解放が足りないことである）を持つ圧縮回数、ｄ）圧縮を開始してからの平均圧縮速度、ｅ）圧縮を開始してからの平均圧縮深さ、ｆ）人工呼吸無しの時間期間、ｇ）スコアパラメータ（例えば、LaerdalＱＣＰＲスコア）、の少なくとも１つを特徴づけるデータを有してよい。
【００２３】
本発明は、人体模型センサと受信機との間の接続を簡単にし、全体の電力消費を削減し、単一の受信機と通信できる人体模型の数を増加する、方法およびシステムを提供する。
【００２４】
一実施形態において、Bluetooth送信機は、圧縮の開始から圧縮系列における最後の登録された圧縮後の３０秒までの時間期間に、通知パッケージを送信するように適合される。
【００２５】
受信機へ送信されたデータは、例えば、多数ＣＰＲ監視装置において使用され、それは、受信装置、ユーザインターフェース、およびプロセッサを備える。受信装置は、上述したように複数の送信機からＣＰＲデータを受信するように適合され、データは、ＢＬＥ通知パッケージ内に送信される。プロセッサは、受信データを解析するように適合され、ユーザインターフェースは、解析結果をグリッドに示すように適合され、各グリッドセルは、それぞれの送信機からのデータを表す。
【００２６】
一実施形態において、プロセッサは、受信したＣＰＲデータの値とそれぞれの基準範囲とを比較するように適合され、もし任意の送信機からの値がそれぞれの基準範囲から逸脱しているなら、当該送信機に対応するユーザインターフェースのグリッドセルにその逸脱のしるしを提供する。他の実施形態において、他の種類の情報がグリッドセルに表示／示されてよく、例えば、１つまたはそれ以上のＣＰＲ指示の実際の値であってよい。上述の任意の組み合せがまた可能である。
【００２７】
逸脱のしるしは、例えば、各グリッドセルが、状態情報を、色のついた光、数、シンボル、または他の適当なしるしとして表示することであってよい。
【００２８】
それぞれの基準範囲から逸脱した送信機からの１つより多い値がある場合、プロセッサは、逸脱の一連のしるしを表示するために適合され得る。例えば、もしある生徒が、人体模型の胸部を、あまりに浅くかつ不適切な周波数の両方で圧縮しているなら、２つのしるしが、教師／指導者に、その生徒が両方の要素に注意および指図を必要とすることを知らせるために、ユーザインターフェース上に二者択一的に表示されてよい。
【００２９】
一連のしるしは、任意の順番で表示されてよいが、一実施形態において、例えば、生徒のグループの教育レベルや他の関連情報に基づいて、予め規定した優先順位リストに従って優先順位を付けられた順番で表示されてよい。他の実施形態において、プロセッサは、それぞれのグリッドセルにおいてどの逸脱を表示するかを選択するように適合される。
【００３０】
一実施形態において、上述したようなシステムの動作は、少なくとも１つのセンサで圧縮データを測定し、マイクロコントローラにおいて圧縮データを処理し、ＢＬＥ通知パッケージ内のセンサから少なくとも１つの受信装置へデータを送信する、ことによってなされる。
【００３１】
前に述べたように、センサからの情報は、圧縮が開始したときを検出し、また連続する圧縮を登録するために使用され、および、Bluetooth送信機によって、圧縮の開始から圧縮系列の最後に登録された圧縮後の３０秒までの測定データの転送を開始するために使用される。
【００３２】
本発明を、例として、添付図面を参照して詳細に説明する。
【図面の簡単な説明】
【００３３】
【図１】一般的なBluetooth Low Energyパケットを示す。
【図２】本発明の一実施形態の（マイクロコントローラによる）データ処理と（ＢＬＥによる）通信との概観を示す。
【図３】人体模型センサから受信機へ送信されるデータパッケージを図示する。
【図４】ＣＰＲ人体模型の各々からの情報を表示するためのユーザインターフェースの一例を示す。
【発明を実施するための形態】
【００３４】
図１に示されるように、一般に、Bluetooth Low Energyパケットは、次の構成要素を持つ。
−プリアンブル：内部プロトコル管理の為に使用される。通知パケットは、プリアンブルとして、１０１０１０１０ｂを持つ。
−アクセスアドレス：これは、常に、通知パケットに対して、０ｘ８Ｅ８９ＢＥＤ６（１０００１１１０１０００１００１１０１１１１１０１１０１０１１０ｂ）を持つ。
−ＰＤＵ（プロトコルデータユニット）：２つのＰＤＵフォーマットがあり、１つは通知パケットのためのものであり、１つはデータパケットのためのものである。
−ＣＲＣ（巡回冗長検査）：ＰＤＵ上で計算された３バイト値
【００３５】
（システムがアクティブであるときの）通信プロセスの概観が、図２に示される。
【００３６】
人体模型から送出されるために必要なデータ量が、ＢＬＥ通知パケットのサイズを超えるので、データセットは、複数のデータパケット（Ｄ０〜Ｄｎ）に分割され、その各々は、ＢＬＥ通知パケットのサイズに一致する。
【００３７】
データセットは、Ｔｓの周期でサンプルされる。Ｔｒのランダム遅延の後、最初のデータパケットはＴｄの存続期間の間繰り返し送出される。通信プロトコル（一方向通信）が本来的にあてにならないので、冗長が必要である。さらに、全てのデータパケットは、成功した受信の機会を増加するために、３つの利用できるＢＬＥ通知チャネル全ての上で送出される。各データパケットが（各通知チャネル上で）送出される回数は、通知（advertisement）期間Ｔａと持続時間Ｔｄとに依存し、すなわち、各データパケットが送出される回数は、（Ｔｄ／Ｔａ）より小さいか等しい最も大きな整数である。
【００３８】
ＴｄとＴａとは、全てのデータパケットに対して一定であるが、Ｔｒは不定である。ランダム遅延Ｔｒは、各データセットの開始前に付加され、それは、同時にデータを送信する人体模型の数を減少し、したがって、人体模型によって生成される（ＢＬＥ周波数範囲における）全体の同時トラフィックを減少する、ことに注意されたい。また、もし（ｎ×Ｔｄ）＋Ｔｒ＞Ｔｓなら、データセットは、次のＴｓ時間までサンプルされない、ことに注意されたい。
【００３９】
データパケット２０の一般的な構造と内容は、図２における第２のデータセットのＤ０の下に図示されている。各データパケットは、人体模型ＩＤと、パケットＩＤと、タイムスタンプとを備える。データパケットの残りは、データフィールドから成り、それは、ＣＰＲデータからシステム状態情報までのいずれかに関連する情報から成る。人体模型ＩＤは、受信装置によって、情報を送信する人体模型を識別するために使用される。データパケットＩＤは、受信機によって、どのデータがデータフィールドに含まれるかを決定するために使用される。特定のデータセット内の全てのデータパケットは、受信機が重複データを識別するのを可能とする同じタイムスタンプを持つ、ことに注意されたい。
【００４０】
動作中、受信装置（例えば、アプリケーションを持つ電話やタブレット）は、正しい製造業者、装置情報、および適切な人体模型名を持つ、Bluetooth Low Energyを持つ装置を探す。受信機は、人体模型ＩＤを、どのデータセットを更新するかを決定するため、および、ユーザインターフェースのどの部分を更新するかを決定するために使用するだろう。
【００４１】
いくつかの人体模型が同じ名前を持つなら、Received Signal Strength Indication（ＲＳＳＩ）が、最も近い人体模型からの情報を示すために使用され得る。これは、もし２つのＣＰＲクラスが、隣接する部屋またはさもなければ近くに保持されているなら、混雑を避けるだろう。パケットＩＤは、ユーザインターフェースをどのように更新すべきかおよびデータセット内のどのデータ値を更新するかを決定するために使用されるだろう。
【００４２】
重複のデータセットが連続的に送出されるので、タイムスタンプは、受信機によって、重複データを処理して格納するのを避けるための識別として使用される。
【００４３】
図３は、最初の圧縮の開始から、圧縮系列における最後に登録された圧縮後３０秒までの時間期間における通知データの伝達を図示する。圧縮が最後の圧縮の検出後３０秒実施される限りは、図２に記述されるように、数ｎのデータパケットが送信される。
【００４４】
図４は、複数のＣＰＲ訓練人体模型４１Ａ〜Ｄと、少なくとも１つの受信装置４２とを備える、ＣＰＲ訓練システム４０の一例を図示する。この図は、４つの人体模型を示しているが、人体模型の数は、生徒の数や他の状況に応じて変化してよい。各人体模型４１Ａ〜Ｄは、少なくとも１つのセンサと、各センサに接続されたマイクロコントローラとを備え、各マイクロコントローラは、上述したように例として、ＢＬＥ通知パッケージ４４内のセンサから少なくとも１つの受信装置４２へのデータを送信するように適合された、Bluetooth送信機に接続されている。
【００４５】
センサは、例えば、実際の深さの±１５％すなわち３ｍｍの精度で圧縮深さ（それは、０〜５５ｍｍの範囲内で高さである）を測定する。圧縮センサは、さらに、時間とＣＰＲ圧縮データ（圧縮深さ、圧縮速度、リーニング）を測定してもよい。
【００４６】
マイクロコントローラは、ＣＰＲ特性計算を実行し、上述したようにＢＬＥ通知パッケージ４４を使用して、変数を受信機へ送出する。ＢＬＥ通知パッケージ。
【００４７】
電力を節約するために、センサおよびマイクロコントローラは、最後の検出した圧縮の後３０秒にオフまたは低電力／アイドルモードにされる。
【００４８】
各センサの目盛りを正す必要があってもよい。特に、各センサが最初に使用される前に深さに対して目盛りを正されることは有利であるだろう。これは、２０回の圧縮を実施し、それから、システムが閉鎖するまで（胸部が完全に解放されて）最小で３０秒待つことによってなされてよい。
【００４９】
受信装置４２は、人体模型における送信機からＣＰＲデータ４４を受信し、受信データ４４を解析し、解析結果をグリッド４５内に表示するように適合され、グリッドの各グリッドセル４３は、それぞれの送信機、したがってそれぞれの人体模型４１Ａ〜Ｄからのデータを表す。図において、人体模型４１Ａからのデータは、グリッドセル４３Ａに表示され、人体模型４１Ｂからのデータは、グリッドセル４１Ｂに表示される、など。
【図１】
2020505636.tif 000003
【図２】
2020505636.tif 000004
【図３】
2020505636.tif 000005
【図４】
2020505636.tif 000006
【国際調査報告】
2020505636.tif 000007
2020505636.tif 000008